(57)【特許請求の範囲】
【請求項１】
平板状の硬質合成樹脂発泡体の両面に面材を貼着したパネルの四周辺に断面コ字形状の合成樹脂製フレームを取り付けてなり、
前記面材が、前記硬質合成樹脂発泡体側から順にポリエチレン層、無機不燃紙層、ポリエチレンテレフタレート層が積層され、かつ、ポリエチレン層と無機不燃紙層の間、および／または、無機不燃紙層とポリエチレンテレフタレート層の間に、金属箔を介在させたものであり、
前記面材が硬質合成樹脂発泡体の両面に貼着された状態の圧縮強さが１５Ｎ／ｃｍ2以上であることを特徴とする自動販売機用断熱パネル。
【発明の詳細な説明】
【０００１】
【発明の属する技術分野】
本発明は、飲料などの自動販売機用の断熱パネルに関し、特に、従来のこの種の断熱パネルに使用されていた金属板を使用せずとも、従来の金属板使用の断熱パネルと同等の剛性を有すると共に、リサイクル処分が容易な自動販売機用断熱パネルに関する。
【０００２】
【技術背景】
従来の自動販売機用断熱パネル、例えば、自動販売機の内扉に使用される断熱パネルは、金属板で薄板様の箱体（以下、金属板製薄箱体）を製作し、この金属板製薄箱体の内部に硬質発泡ウレタン原液を注入し、該箱体内部で該原液の反応・発泡を完了させて製造していた。
【０００３】
このように、従来の自動販売機用断熱パネルの製造方法は、金属板製薄箱体の１つ１つにウレタン原液を注入するバッチ方式であるため、生産性が悪く、必ずしも量産に適した方法とは言えない。
また、自動販売機の種類や大きさなどを変更する場合には、金属板製薄箱体の規格変更が必要であり、この規格変更は極めて困難である。
更に、上記の断熱パネルは、金属板を使用しているため、重量が大きく、取り扱い性に劣り、自動販売機の組み立て作業を困難にするなどの問題もある。
【０００４】
一方、上記の断熱パネルは、金属板製薄箱体の内部で反応・発泡を完了した硬質発泡ウレタンが、該箱体の壁面を構成している金属板と一体化しているため、リサイクルに際しての金属板と硬質発泡ウレタンとの剥離は、技術的に困難である。
このため、上記の断熱パネルは、使用済み後、金属板と硬質発泡ウレタンとを剥離することなく、埋め立て処分せざるを得ない状況下にある。
しかし、埋め立て場所は、現在、極めて不足している。
そこで、この種分野において、リサイクル可能な断熱パネルの開発が切望されている。
【０００５】
【発明の目的】
本発明は、金属板を使用しないにも拘らず、金属板使用の自動販売機用断熱パネルと実質上同等の性能を有すると共に、生産性が高く、しかも軽量で、かつリサイクルが容易な自動販売機用断熱パネルを提供することを目的とする。
【０００６】
【発明の概要】
本発明者らは、上記目的を達成するために種々検討を重ねる途上で、金属板に代えて特定構成の面材を使用したところ、優れた剛性を有するばかりか、生産性が高く、しかもリサイクルに際して、従来の断熱パネルのように金属板を使用していないため、そのまま燃料として使用することができるし、あるいは粉砕しバインダーを混合して圧縮成形すれば建材等の用途に再び活用することができるなどの知見を得た。
【０００７】
本発明の自動販売機用断熱パネルは、これらの知見に基づくもので、平板状の硬質合成樹脂発泡体の両面に面材を貼着したパネルの四周辺に断面コ字形状の合成樹脂製フレームを取り付けてなり、
この面材が、前記硬質合成樹脂発泡体側から順にポリエチレン層、無機不燃紙層、ポリエチレンテレフタレート層が積層され、かつ、ポリエチレン層と無機不燃紙層の間、および／または、無機不燃紙層とポリエチレンテレフタレート層の間に、金属箔を介在させたものであり、
前記面材が硬質合成樹脂発泡体の両面に貼着された状態の圧縮強さが１５Ｎ／ｃｍ2以上であることを特徴とする。
面材が硬質合成樹脂発泡体の両面に貼着された状態の圧縮強さ(ＪＩＳ Ａ ９５１１に規定される試験方法による圧縮強さ)が１５Ｎ／ｃｍ2以上（好ましくは２０〜３０Ｎ／ｃｍ2）を有するものなので、本発明の断熱パネルの剛性を、従来の金属板使用の自動販売機用断熱パネルと実質上同等あるいはその以上とすることができる。
【０００８】
また、面材は、ポリエチレン層と無機不燃紙層の間、無機不燃紙層とポリエチレンテレフタレート層の間の、いずれか一方または双方に、金属箔を介在させたものなので、本発明の断熱パネルの剛性や寸法安定性などをより一層良好にする。
【０００９】
本発明において、面材を構成するポリエチレン層は、面材を平板状の硬質合成樹脂発泡体に貼着させる役割や、防水・防湿の役割を担うもので、通常のポリエチレンが使用できる。
その厚さは、実用強度やコストの面から、２０〜２００μｍ程度、好ましくは３０〜５０μｍ程度が適している。
【００１０】
ポリエチレンテレフタレート層は、面材延いては本発明の断熱パネルに優れた剛性を付与する作用をなす。
その厚さは、優れた剛性を得るために、３０〜２００μｍ程度、好ましくは８０〜１２０μｍ程度が適している。
【００１１】
無機不燃紙としては、炭カル紙、水酸化アルミニウム紙、ガラス不織布などの無機材料からなる不燃性の紙が使用できる。
これらの無機不燃紙であれば、一般紙（セルロース繊維紙）と比べて、水分（水蒸気）などによる収縮が小さく、従って面材の反りの発生を抑制することができる。
また、無機不燃紙は、ポリエチレン層とポリエチレンテレフタレート層の間に介在してこれらと一体化し、面材延いては本発明の断熱パネルの剛性をある程度高める作用や、面材に腰を持たせる作用、あるいは本発明の断熱パネルの表面平滑性を向上させる作用などをなす。
その厚さは、これらの作用を効果的に発現させる程度とすればよく、例えば、炭カル紙の場合、５０〜３００ｇ／ｍ２程度、好ましくは１００〜１５０ｇ／ｍ２程度が適している。
【００１２】
上記のポリエチレン層、無機不燃紙、ポリエチレンテレフタレート層は、平板状の硬質合成樹脂発泡体側から順に、ポリエチレン層／無機不燃紙／ポリエチレンテレフタレート層が積層される。
このとき、ポリエチレン層、無機不燃紙、ポリエチレンテレフタレート層は各々、１層であってもよいし、複数層であってもよく、複数層の場合は、全体の厚さが上記範囲内にあればよい。
【００１３】
また、上記のポリエチレン層と無機不燃紙の間や、無機不燃紙とポリエチレンテレフタレート層の間に介在させる金属箔としては、アルミニウム、錫、鉄、銅、これらの合金、あるいはステンレス鋼などの箔が使用でき、その厚さは、７〜１００μｍ程度が適している。
【００１４】
積層は、ポリエチレンもポリエチレンテレフタレートも予めフィルム化しておき、これらのフィルムを接着剤を用いて無機不燃紙にラミネートしてもよいし、無機不燃紙にポリエチレンおよびポリエチレンテレフタレートをコートするのなどであってもよい。
各層間に金属箔を介在させる場合は、ポリエチレンやポリエチレンテレフタレートのフィルム、あるいは無機不燃紙に、金属箔を予め各種の手法により積層しておいてもよいし、上記のラミネート時やコート時に金属箔を介在させてもよい。
【００１５】
上記構成を有する面材は、平板状の硬質合成樹脂発泡体の表・裏両面に貼着するが、このとき、表・裏両面とも同一構成のものを使用してもよいし、上記構成の範囲内にある面材であれば、表・裏両面において、厚さや、層構成が異なるものを使用してもよい。
例えば、自動販売機の内部に面する側（以下、表面側）に貼着する面材には金属箔を介在させたものを使用し、反対側（以下、裏面側）に貼着する面材には金属箔を介在させないものを使用するとか、表面側の面材におけるポリエチレンテレフタレート層の厚さを裏面側の面材におけるそれよりも厚くして、表面側の面材の剛性を高めるなどが挙げられる。
【００１６】
上記面材を貼着する平板状の硬質合成樹脂発泡体としては、硬質ポリウレタンフォーム、ウレタン変性ポリイソシアヌレートフォーム、ポリスチレンフォーム、ポリエチレンフォームなどの熱伝導率の小さい優れた断熱性を有する合成樹脂発泡体が好ましく使用できる。
中でも、発泡体密度が３０〜５０ｋｇ／ｍ３程度の硬質ポリウレタンフォーム、ウレタン変性ポリイソシアヌレートフォームが、より優れた圧縮強さや面材との接着性を有するため好ましい。また、これらの硬質ポリウレタンフォームや、ウレタン変性ポリイソシアヌレートフォームは、熱伝導率が小さいため、本発明における平板状硬質合成樹脂発泡体の厚さ、延いては断熱パネルの厚さを薄くすることができる。
【００１７】
なお、上記発泡体は、予め作成した発泡体ブロックを所定の寸法に裁断して使用してもよいし、所定寸法（厚さと幅）に押出成形した長尺のシートを所定の長さに裁断して使用することもできる。あるいは、後述するように、面材上に発泡体原液を注ぎ、面材との貼着と同時に発泡体を作成する態様のものを使用してもよい。
【００１８】
表・裏両面に面材を貼着した平板状硬質合成樹脂発泡体の四周辺、すなわち発泡体が露出している四周の縁部に、フレームを取り付けて、該縁部の補強を図ると共に、本発明の断熱パネルの剛性や強度を高める。
このフレームは、合成樹脂、金属、木、セラミック、各種廃材の再生材など、どのような材質のものであってもよいが、本発明では合成樹脂製とする。
フレームの形状や取り付け態様は、断面コ字形のものを平板状硬質合成樹脂発泡体と面材とを挟み込むようにして取り付ける態様とする。
また、接着剤を使用して、あるいは接着剤を使用せずに、ビスなどで機械的に固定する態様であってもよいし、本発明で採用する合成樹脂製の断面コ字形のフレームにおいては、合成樹脂が弾性を有するため、該弾性により平板状硬質合成樹脂発泡体と面材とを挟持させて取り付ける態様であってもよい。
【００１９】
以上の構成を有する本発明の断熱ボードは、自動販売機内の例えば内扉に使用することができるが、その他の適宜箇所においても好適に使用することができる。
例えば、冷温兼用の自動販売機における低温部分（０〜１０℃程度）と、高温部分（６０〜８０℃程度）とを仕切る断熱パネルとしても使用することができる。
本発明の断熱パネルを自動販売機へ取り付ける際の態様は、特に制限しないが、本発明の断熱パネルの四周辺に取り付けたフレーム部分を利用して、自動販売機本体の適宜の構成部材と、ビスなどにより固定すればよい。また、自動販売機の内扉に取り付ける場合は、上記フレームと内扉とを蝶番により固定し、開閉できるようにすればよい。
【００２０】
【実施例】
図１は、本発明の断熱パネルの一例を示す説明図であって、該断熱パネルの端部における断面を説明している。
図中、１は本発明の断熱パネルであり、平板状合成樹脂発泡体２の表・裏両面に面材３，３′を貼着し、四周辺に平板状合成樹脂発泡体２と面材３，３′を挟み込むように断面コ字形のフレーム４を取り付けたものである。
【００２１】
この面材３，３′はいずれも、平板状合成樹脂発泡体２側から順に、ポリエチレン層３１／無機不燃紙３２／ポリエチレンテレフタレート層３３が積層されたものであり、面材３，３′のそれぞれは、同一構成であってもよいし、この積層構成の範囲内であれば寸法や層数などにおいて異なる構成であってもよい（本例では、同一構成のものとして説明する）。
【００２２】
ポリエチレン層３１として、厚さ３０μｍのフィルム１枚を使用し、無機不燃紙３２として、坪量１５０ｋｇ／ｍ２の炭カル紙１枚を使用し、ポリエチレンテレフタレート層３３として、厚さ１００μｍのフィルム１枚を使用し、無機不燃紙３２の両面に、ポリエチレンフィルム３１と、ポリエチレンテレフタレート３３とを適宜の手法により積層して面材３，３′を作成した。
【００２３】
平板状合成樹脂発泡体２としては、硬質ポリウレタンフォームを使用し、この平板状合成樹脂発泡体２の表・裏両面に、上記の面材３，３′を貼着した。
この貼着は、例えば、次のようにして行われる。
一方の面材（説明の便宜上、面材３とする）を、ベルトコンベアー上に、ポリエチレンテレフタレート３３側を接触させて置き、移送させる。この面材３上（すなわち、ポリエチレンフィルム３１上）に、硬質ポリウレタンフォーム原液を注ぎ、該原液上に他方の面材３′を、ポリエチレンフィルム３１が原液に接触するようにして載置して、発泡体の生成と貼着・一体化を同時に行う。
【００２４】
このようにして平板状合成樹脂発泡体２の表・裏両面に面材３，３′を貼着した状態のパネルについて圧縮強さを測定したところ、２２Ｎ／ｃｍ２であった。この圧縮強さは、平板状合成樹脂発泡体２の表・裏両面に面材３，３′を貼着した状態での面材３，３′の圧縮強さである。
また、平板状合成樹脂発泡体（硬質ポリウレタンフォーム）２の厚さは２５ｍｍであった。
【００２５】
この後、上記の平板状合成樹脂発泡体２の表・裏両面に面材３，３′を貼着した長尺状態のものを所定寸法に裁断し、フレーム４を取り付ける。
フレーム４としては、本例では、合成樹脂製の断面コ字形状のものを使用し、該合成樹脂製フレーム４の弾性を利用して、平板状合成樹脂発泡体２と面材３，３′とを挟持させて取り付け、本発明の断熱パネル１を得た。
【００２６】
また、本発明の断熱パネル１のフレーム４を除く重量は、約１．８ｇ／ｍ２であり、金属板を使用する従来の断熱パネルの重量（約７．４ｇ／ｍ２）に比して、極めて軽量であることが判る。
【００２７】
さらに、本発明の断熱パネル１は、フレーム４を取り外せば、粉砕可能であり、粉砕片は、バインダーと混合し圧縮成形することで、断熱材、板状体、あるいは各種の成形品として再利用することができる。
【００２８】
【発明の効果】
本発明の断熱パネルは、次のような効果を奏することができる。
（１）平板状硬質合成樹脂発泡体と、該発泡体の両面に貼着する面材（特に、該面材中のポリエチレンテレフタレートと無機不燃紙）と、フレームとの相乗作用より、金属板を使用しないにも拘らず、従来の金属板使用の断熱パネルと実質上同等の剛性を有する。
（２）金属板を使用しないため、重量を大幅に減じることができる。
（３）フレームの取り外しが簡単であるため、優れたリサイクル性を有している。
（４）平板状硬質合成樹脂発泡体、面材、およびフレームを、それぞれ別々に量産し、これらを組み立てることで、あるいは該発泡体の作成と面材との貼着を長尺状態で同時に行い、所定寸法に裁断し、量産したフレームと組み立てることで、製造することができるため、従来の断熱パネルの製造に比して、極めて高い生産性を得ることができる。
【図面の簡単な説明】
【図１】本発明の自動販売機用断熱パネルの一例を示す説明図であり、該断熱パネルの端部における断面を説明している。
【符号の説明】
１  本発明の自動販売機用断熱パネル
２  平板状合成樹脂発泡体
３，３′  面材
４  フレーム
３１  ポリエチレン層
３２  無機不燃紙
３３  ポリエチレンテレフタレート層
【図１】
0004400954.tif 000002